(57)【要約】      （修正有）【課題】バネ材を備えたウエイトブロックにおける当該バネ材を容易に着脱することのできる工具を提供する。【解決手段】上下に位置する第一グリップ１１と第二グリップ１２がそれらの先端部の近傍で水平軸ピン１３によって枢着されたグリップ部１０と、第一グリップ１１の先端部に連設され、バネ材のコイル部が挿通できる幅の空間部を挟んで、バネ材の左線状片を下から支持する第一支持片と、右線状片を下から支持する第二支持片を水平方向に二股状に備える支持部２０と、第二グリップ１２の先端部に、空間部の直上で、当該空間部に進入自在に連設され、コイル部を上から押圧する押圧部３０とを設けて構成する。【選択図】図１
0003200773.tif 000002
【実用新案登録請求の範囲】
【請求項１】
仮設柵の水平単管（Ｒ）に，前記仮設柵の姿勢を安定させるために装着され，内向き左孔部（４２ａ）を有する左脚部（４２）と内向き右孔部（４３ａ）を有する右脚部（４３）を備えるブロック本体（４１）と，左線状片（５１）の左端部（５１ａ）が前記左孔部（４２ａ）に嵌入されると共に，右線状片（５２）の右端部（５２ａ）が前記右孔部に嵌入される針金状で，左右の線状片よりも下位において中央部分にコイル状に巻回にしたコイル部（５３）を有するバネ材（５０）と，を備えるウエイトブロック（４０）における前記バネ材を前記ブロック本体に対して着脱するための工具であって、上下に位置する第一グリップ（１１）と第二グリップ（１２）がそれらの先端部の近傍で水平軸ピン（１３）によって枢着されたグリップ部（１０）と、前記第一グリップの先端部に連設され，前記コイル部が挿通できる幅の空間部（２３）を挟んで，前記左線状片を下から支持する第一支持片（２１）と，前記右線状片を下から支持する第二支持片（２２）を水平方向に二股状に備える支持部（２０）と、前記第二グリップの先端部に，前記空間部の直上で，該空間部に進入自在に連設され，前記コイル部を上から押圧する押圧部（３０）と、を備えるバネ材着脱工具。
【請求項２】
仮設柵の水平棒（Ｒ）に，前記仮設柵の姿勢を安定させるために装着され，内向き左孔部（４２ａ）を有する左脚部（４２）と内向き右孔部（４３ａ）を有する右脚部（４３）を備えるブロック本体（４１）と，左線状片（５１）の左端部（５１ａ）が前記左孔部（４２ａ）に嵌入されると共に，右線状片（５２）の右端部（５２ａ）が前記右孔部に嵌入される針金状で，左右の線状片よりも下位において中央部分にコイル状に巻回にしたコイル部（５３）を有するバネ材（５０）と，を備えるウエイトブロック（４０）における前記バネ材を前記ブロック本体に対して着脱するための工具であって、上下に位置する第一グリップ（１１）と第二グリップ（１２）がそれらの先端部の近傍で水平軸ピン（１３）によって枢着されたグリップ部（１０）と、前記第一グリップの先端部に連設され，前記コイル部が挿通できる幅の空間部（２３）を挟んで，前記左線状片を下から支持する第一支持片（２１）と，前記右線状片を下から支持する第二支持片（２２）を水平方向に二股状に備える支持部（２０）と、前記第二グリップの先端部に，前記空間部の直上で，該空間部に進入自在に連設され，前記コイル部の巻始め部を上から押圧する押圧部（３０）と、を備え、前記押圧部の下面に，前記コイル部の上端部が係合する係合溝（３１）を備えることを特徴とするバネ材着脱工具。
【考案の詳細な説明】
【技術分野】
【０００１】
本考案は、例えば、工事現場などにおいて使用される仮設柵の水平棒に装着されて当該仮設柵の姿勢を安定に保つためのウエイトブロックに、盗難防止の目的で設けられるバネ材を着脱するための工具に関するものである。
【背景技術】
【０００２】
従来から工事現場などにおいて、安全性の観点から通行人の進入を防止するために各種の仮設柵が使用されている。例えば、図９に示すバリケード状の仮設柵Ｂでは、その長手方向に架設された水平棒Ｒに金属製のウエイトブロック６０を係合させて、当該仮設柵Ｂの安定姿勢を維持している（特許文献１参照）。
【０００３】
こうした従来のウエイトブロック６０は通常、金属製であるため盗難に遭い易いといった問題がある。すなわち、このウエイトブロック６０は水平棒Ｒに垂直姿勢で係合しており、把手部６４が空間に位置しているので比較的容易に持ち去られてしまい易い。
【０００４】
そのため、本考案者らは図７および図８に示すようにバネ材５０を設けたウエイトブロック４０を創案した。このバネ材５０は一本の針金状で、その中間部分をコイル状に巻回してコイル部５３を形成している。そして、このバネ材５０の左端部５１ａと右端部５２ａを、ブロック本体４１の左脚部４２と右脚部４３の対向する面に形成した左孔部４２ａと右孔部４３ａのそれぞれに嵌入している。
【０００５】
なお、左孔部４２ａと右孔部４３ａは、それぞれ左脚部４２と右脚部４３を貫通するものではなく、また、コイル部５３の外径は左孔部４２ａおよび右孔部４３ａの径よりも大きく形成している。
【０００６】
こうした構成とすることにより、バネ材５０は一般の工具（例えば、ペンチやドライバー）によってブロック本体４１から取り外すことができず、よって、ウエイトブロック４０の盗難を効果的に防止することが可能となっている。
【先行技術文献】
【特許文献】
【０００７】
【特許文献１】意匠登録第１３０８０９５号公報
【考案の概要】
【考案が解決しようとする課題】
【０００８】
本考案者らが創案した上記のウエイトブロック４０のバネ材５０は、前述したようにペンチなどの一般の工具では取り外し（および取り付け）を行うことができない。しかし、ウエイトブロック４０を水平棒Ｒに取り付ける際に、ブロック本体４１を水平棒Ｒに係合した後、バネ材５０をブロック本体４１に取り付ける操作が当然ながら必要である。また、ウエイトブロック４０を水平棒Ｒから外す際に、バネ材５０をブロック本体４１から取り外す操作も必要である。
【０００９】
本考案はこうした点に鑑み創案されたもので、バネ材を備えたウエイトブロックにおける当該バネ材を容易に着脱することのできる工具を提供することを課題とする。
【課題を解決するための手段】
【００１０】
図１乃至図６を参照して説明する。請求項１に記載のバネ材着脱工具１は、仮設柵Ｂの水平棒Ｒに、前記仮設柵Ｂなどの姿勢を安定させるために装着され、内向き左孔部４２ａを有する左脚部４２と内向き右孔部４３ａを有する右脚部４３を備えるブロック本体４１と、左線状片５１の左端部５１ａが前記左孔部４２ａに嵌入されると共に、右線状片５２の右端部５２ａが前記右孔部４３ａに嵌入される針金状で、左右の線状片５１，５２よりも下位において中央部分にコイル状に巻回にしたコイル部５３を有するバネ材５０と、を備えるウエイトブロック４０における前記バネ材５０を前記ブロック本体４１に対して着脱するためのものである。
【００１１】
当該工具１は、上下に位置する第一グリップ１１と第二グリップ１２がそれらの先端部の近傍で水平軸ピン１３によって枢着されたグリップ部１０と、前記第一グリップ１１の先端部に連設され、前記コイル部５３が通過できる幅の空間部２３を挟んで、前記左線状片５１を下から支持する第一支持片２１と、前記右線状片５２を下から支持する第二支持片２２を水平方向に二股状に備える支持部２０と、前記第二グリップ１２の先端部に、前記空間部２３の直上で、該空間部２３に進入自在に連設され、前記コイル部５３を上から押圧する押圧部３０とを備える。
【００１２】
請求項２に記載のバネ材着脱工具１は、仮設柵Ｂの水平棒Ｒに、前記仮設柵Ｂなどの姿勢を安定させるために装着され、内向き左孔部４２ａを有する左脚部４２と内向き右孔部４３ａを有する右脚部４３を備えるブロック本体４１と、左線状片５１の左端部５１ａが前記左孔部４２ａに嵌入されると共に、右線状片５２の右端部５２ａが前記右孔部４３ａに嵌入される針金状で、左右の線状片５１，５２よりも下位において中央部分にコイル状に巻回にしたコイル部５３を有するバネ材５０と、を備えるウエイトブロック４０における前記バネ材５０を前記ブロック本体４１に対して着脱するためのものである。
【００１３】
当該工具１は、上下に位置する第一グリップ１１と第二グリップ１２がそれらの先端部の近傍で水平軸ピン１３によって枢着されたグリップ部１０と、前記第一グリップ１１の先端部に連設され、前記コイル部５３が通過できる幅の空間部２３を挟んで、前記左線状片５１を下から支持する第一支持片２１と、前記右線状片５２を下から支持する第二支持片２２を水平方向に二股状に備える支持部２０と、前記第二グリップ１２の先端部に、前記空間部２３の直上で、該空間部２３に進入自在に連設され、前記コイル部５３の巻始め部を上から押圧する押圧部３０とを備える。
【００１４】
また、前記押圧部３０の下面に、前記コイル部５３の上端部が係合する係合溝３１を備える。
【考案の効果】
【００１５】
請求項１に記載のバネ材着脱工具１は、グリップ部１０を握って第一グリップ１１と第二グリップ１２を回動することによって、支持部２０の第一支持片２１と第二支持片２２によって左線状片５１および右線状片５２を下から支持すると共に、押圧部３０によってコイル部５３の巻始め部を上から押圧するので、バネ材５０を双翼状に弾性変形させることができる。
【００１６】
これにより、バネ材５０の水平直線方向の長さを短くすることができるので、左端部５１ａおよび右端部５２ａをそれぞれ左孔部４２ａおよび右孔部４３ａへ嵌入させることができ、また、左孔部４２ａおよび右孔部４３ａから取り外すことができる。従って、バネ材５０をブロック本体４１に容易に着脱することができる。
【００１７】
請求項２に記載のバネ材着脱工具１は、請求項１に記載の発明と同様に、バネ材５０をブロック本体４１に容易に着脱することができる。また、押圧部３０の下面に、コイル部５３の上端部が係合する係合溝３１を備えるので、当該押圧部３０によってコイル部５３を確実に押圧することができる。従って、バネ材５０をブロック本体４１にさらに容易に着脱することができる。
【図面の簡単な説明】
【００１８】
【図１】本考案に係るバネ材着脱工具の実施形態を示す側面図である（グリップ部を開いた状態を示す）。
【図２】本考案に係るバネ材着脱工具の実施形態を示す側面図である（グリップ部を閉じた状態を示す）。
【図３】図１に示すバネ材着脱工具の一部を示す拡大側面図である。
【図４】図１のＸ−Ｘ線断面拡大図である。
【図５】図１に示すバネ材着脱工具の使用状態を示す概略正面図である（バネ材を押圧する前の状態を示す）。
【図６】図１に示すバネ材着脱工具の使用状態を示す概略正面図である（バネ材を押圧した状態を示す）。
【図７】本考案に係るバネ材着脱工具によって着脱されるバネ材を有するウエイトブロックを示す正面図である。
【図８】図７に示すウエイトブロックを仮設柵の水平棒に取り付けた状態を示す斜視図である。
【図９】一般的なウエイトブロックおよびそれを仮設柵の水平棒に取り付けた状態を示す斜視図（および正面図）である。
【考案を実施するための形態】
【００１９】
本考案に係るバネ材着脱工具１の実施形態を、図１乃至図６に示す。当該着脱工具１は、バリケード状の仮設柵Ｂの長手方向に架設されている水平棒Ｒに、当該仮設柵Ｂなどの姿勢を安定させるために装着されるウエイトブロック４０のために使用されるものである（図７および図８参照）。
【００２０】
当該ウエイトブロック４０は、ブロック本体４１とバネ材５０を備えている。ブロック本体４１は、内向き左孔部４２ａを有する左脚部４２と内向き右孔部４３ａを有する右脚部４３を備える。左孔部４２ａおよび右孔部４３ａは、左脚部４２および右脚部４３の対向する面に水平方向に沿って設けられており、当該左脚部４２および右脚部４３の途中まで形成されている。従って、左脚部４２および右脚部４３を貫通するものではない。ブロック本体４１は鉄などの金属製であり、バネ材５０は鋼鉄などの金属製であるが、これらに限定されるものではない。
【００２１】
なお、このウエイトブロック４０は把手部４４を備え、また、複数枚を安定姿勢で積載することができるようにおもて面に凸部４５を備えると共に、裏面に対応する凸部４５が嵌入する凹部４６を備えている。
【００２２】
バネ材５０は針金状であり、その左線状片５１の左端部５１ａが左孔部４２ａにほぼ密に嵌入されると共に、その右線状片５２の右端部５２ａが右孔部４３ａにほぼ密に嵌入される。また、左右の線状片５１，５２よりも下位において中央部分にコイル状に一回、巻回したコイル部５３を備えている。コイル部５３の外径は、左孔部４２ａおよび右孔部４３ａの径よりも大きい。従って、コイル部５３が左孔部４２ａあるいは右孔部４３ａに進入することはない。
【００２３】
バネ材着脱工具１は、グリップ部１０、支持部２０、および押圧部３０を備える。グリップ部１０は、上側に位置する第一グリップ１１とその下側に位置する第二グリップ１２がそれらの先端部の近傍で水平軸ピン１３によって相互に枢着されている。
【００２４】
支持部２０は、第一グリップ１１の先端部に連設され、バネ材５０のコイル部５３が挿通できる幅の空間部２３を挟んで、バネ材５０の左線状片５１を下から支持する第一支持片２１と、右線状片５２を下から支持する第二支持片２２とを水平方向に二股状に備えている。
【００２５】
押圧部３０は、第二グリップ１２の先端部に、支持部２０の空間部２３の直上で、当該空間部２３に進入できるように連設されている。この押圧部３０は、コイル部５３の巻始め部を上から押圧する。この押圧部３０の下面には、コイル部５３の巻始め部上端部が進入して係合する係合溝３１を設けている。
【００２６】
本実施形態に係るバネ材着脱工具１は、次のように使用することができる。まず、図８に示すようにバネ材５０がブロック本体４１に取り付けられている状態から、当該バネ材５０を取り外す場合について説明する。
【００２７】
まず、グリップ部１０を握りながら、バネ材５０の左線状片５１と右線状片５２を、支持部２０の第一支持片２１と第二支持片２２によって下から支持すると共に、押圧部３０の係合溝３１にコイル部５３の巻始め部を係合（進入）させるように操作する（図５参照）。
【００２８】
コイル部４３の巻始め部を係合溝３１に係合させた後、グリップ部１０を強く握る。なお、コイル部４３を係合溝３１に係合させるので、当該コイル部４３（およびバネ材４０）の前後方向の動きを規制することができる。これにより、第一グリップ１１と第二グリップ１２が水平軸ピン１３を軸として双翼状に弾性変形し、押圧部３０がコイル部５３の巻始め部を下方に押圧する。
【００２９】
ここで、バネ材５０の左線状片５１と右線状片５２は支持部２０によって下から支持されているので、コイル部５３が支持部２０の空間部２３に押し込まれ、これによりバネ材５０が双翼状に弾性変形し、その水平直線方向の長さが短くなる（図６参照）。なお、双翼状に弾性変形したバネ材５０の左線状片５１と右線状片５２は、支持部２０によって下から支持されるので、バネ材５０の左右方向の動きも規制される。
【００３０】
その結果、バネ材５０の左端部５１ａと右端部５２ａを、それぞれ左孔部４２ａおよび右孔部４３ａから離脱させることができるので、バネ材５０をブロック本体４０から容易に取り外すことができる。
【００３１】
バネ材５０をブロック体に取り付ける場合は、上記と同様な操作を行う。すなわち、まず、グリップ部１０を握ってバネ材５０を双翼状に弾性変形させることにより、その水平直線方向の長さを短くし、この状態で、左端部５１ａと右端部５２ａを左孔部４２ａと右孔部４３ａの入口に配置する（図６参照）。
【００３２】
この状態から、グリップ部１０に対する握りを徐々に弱める。これにより、バネ材５０が弾性復帰してその水平直線方向の長さが大きくなり、左端部５１ａおよび右端部５２ａがそれぞれ左孔部４２ａおよび右孔部４３ａに嵌入される。これにより、バネ材５０がブロック本体４０に容易に取付けることができる（図５参照）。
【００３３】
本実施形態に係るバネ材着脱工具１は、次の作用効果を発揮する。
（イ）グリップ部１０を握って第一グリップ１１と第二グリップ１２を回動することによって、支持部２０の第一支持片２１と第二支持片２２によって左線状片５１および右線状片５２を下から支持すると共に、押圧部３０によってコイル部５３を上から押圧するので、バネ材５０を双翼状に弾性変形させることができる。これにより、バネ材５０の水平直線方向の長さを短くすることができるので、バネ材５０をブロック本体４１に容易に着脱することができる。
【００３４】
（ロ）押圧部３０の下面に、コイル部５３の上端部が係合する係合溝３１を設けているので、当該押圧部３０によってコイル部５３（バネ材５０）の前後方向の動きを規制することができる。これにより、押圧部３０によってコイル部５３を確実に押圧することができる。その結果、バネ材５０をブロック本体４１にさらに容易に着脱することができる。
【００３５】
（ハ）双翼状に弾性変形したバネ材５０の左線状片５１と右線状片５２を、支持部２０によって下から支持するので、バネ材５０（コイル部５３）の左右方向の動きを規制することができる。これによっても、押圧部３０によってコイル部５３を確実に押圧することができるので、バネ材５０をブロック本体４１にさらに容易に着脱することができる。
【産業上の利用可能性】
【００３６】
本考案に係るバネ材着脱工具１は、ウエイトブロック４０のバネ材５０の着脱のみでなく、当該バネ材５０と同様の形態を有し、他のあらゆる部材に取付けられるバネ部材の着脱にも使用することができる。
【符号の説明】
【００３７】
１          バネ材着脱工具
１０        グリップ部
１１        第一グリップ
１２        第二グリップ
１３        水平軸ピン
２０        支持部
２１        第一支持片
２２        第二支持片
２３        空間部
３０        押圧部
３１        係合溝
４０        ウエイトブロック
４１        ブロック本体
４２        左脚部
４２ａ      左孔部
４３        右脚部
４３ａ      右孔部
４４        把手部
４５        凸部
４６        凹部
５０        バネ材
５１        左線状片
５１ａ      左端部
５２        右線状片
５２ａ      右端部
５３        コイル部
６０        ウエイトブロック
６４        把手部
Ｂ          仮設柵
Ｒ          水平棒
【図１】
0003200773.tif 000003
【図２】
0003200773.tif 000004
【図３】
0003200773.tif 000005
【図４】
0003200773.tif 000006
【図５】
0003200773.tif 000007
【図６】
0003200773.tif 000008
【図７】
0003200773.tif 000009
【図８】
0003200773.tif 000010
【図９】
0003200773.tif 000011